(57)【要約】【課題】  反射板を器具本体に対して、正確な装着位置に位置決めしながら挿入することを容易とする埋込型照明器具を提供する。【解決手段】  開放部２０を有する器具本体５と、開放部２０から内側に挿入され、器具本体５に対する装着位置で固定される反射板９と、を備えた埋込型照明器具１であって、器具本体５には、内側に反射板９を収容する収容部１６と、収容部１６の内側の面に、反射板９の挿入方向に沿って開放部２０側から形成される案内溝部１０と、を備え、反射板９には、収容部１６と対峙する面に、案内溝部１０に差し込まれて案内される突起部１１を、備え、装着位置の手前で反射板９の突起部１１を器具本体５の案内溝部１０に差し込むとともに、反射板９を器具本体５に対して挿入するに従い、案内溝部１０は、反射板９を装着位置に案内する。【選択図】図１
2010123502.tif 000002
【特許請求の範囲】
【請求項１】
開放部を有する器具本体と、前記開放部から内側に挿入され、前記器具本体に対する装着位置で固定される反射板と、を備えた埋込型照明器具であって、
前記器具本体は、内側に前記反射板を収容する収容部と、前記収容部の内側の面に、前記反射板の挿入方向に沿って前記開放部側から形成される案内溝部と、を備え、
前記反射板は、前記収容部と対峙する面に、前記案内溝部に差し込まれて案内される突起部を、備え、
前記装着位置の手前で前記反射板の前記突起部を前記器具本体の前記案内溝部に差し込むとともに、前記反射板を前記器具本体に対して挿入するに従い、前記案内溝部は、前記反射板を前記装着位置に案内することを特徴とする埋込型照明器具。
【請求項２】
前記案内溝部は、前記開放部側での幅は、前記反射板の挿入方向に対して交差する方向への前記反射板の回動を許容する幅であり、前記反射板が装着位置にある状態における前記突起部の位置での幅は、前記反射板の挿入方向に対して交差する方向への前記反射板の回動を規制する幅である、ことを特徴とする請求項１に記載の埋込型照明器具。
【請求項３】
前記反射板は、前記反射板の中心線が前記器具本体の中心線に対して傾斜するように、装着位置で固定される形状であって、前記器具本体の中心線と前記反射板の中心線とを含む平面と、前記反射板における前記収容部と対峙する面とが交差する位置に前記突起部を備え、
前記器具本体は、前記器具本体の中心線と前記反射板の中心線とを含む平面と、前記収容部とが交差する位置に、前記案内溝部を備えることを特徴とする請求項１又は２のいずれか１項に記載の埋込型照明器具。
【発明の詳細な説明】
【技術分野】
【０００１】
本発明は、埋込型照明器具に関する。
【背景技術】
【０００２】
従来、天井板や側壁板等の空間の仕上げ板に形成された埋込孔に埋め込まれて設置される埋込型照明器具が知られている。このような埋込型照明器具として、開放部を有する器具本体と、器具本体の開放部から内側に挿入され、器具本体に対する装着位置で固定される反射板と、を備えた埋込型照明器具が知られている。そして、光源ランプは反射板を貫通するようにして器具本体に装着され、反射板の内側で点灯するように構成されている。
【０００３】
また、器具本体に対する反射板の位置決めを確実に行うため、位置決め機構を備えたものも知られている。例えば、器具本体側において、天井板の埋込孔周囲に密着される枠部に貫通孔を設け、反射板の開口縁のフランジ上部に、前記貫通孔と嵌合する突起部を設けたものが知られている（特許文献１参照。）。
【０００４】
上記従来の位置決め機構を備えた埋込型照明器具を取付板部に設置する手順は、まず作業者が器具本体を天井板に設けられた埋込孔に挿入する。次いで、器具本体の開放部から内側に反射板を挿入させ、反射板の上部に突設された螺子を、器具本体側に設けられた螺子孔に挿入させて螺合させる。そして、反射板の開口縁のフランジ上部に形成された突起部を、器具本体の枠部に設けられた貫通孔に嵌合させる。このようにして、反射板を器具本体に対して位置決めしている。また、器具本体の内側奥に貫通孔を設け、反射板の上部に前記貫通孔と嵌合する突起部を設けたものも知られている（特許文献２参照。）。
【特許文献１】特開２００５−２７６７０３号公報
【特許文献２】実開平５−２３０９号公報
【発明の開示】
【発明が解決しようとする課題】
【０００５】
しかしながら、作業者が反射板を器具本体に挿入する際、作業者は反射板を斜め下方より目視しながら器具本体に対して挿入することが多い。このため、上記従来の埋込型照明器具では、反射板を器具本体に挿入する際に、器具本体と反射板を固定する螺子や、フランジ部上部あるいは器具本体の内側奥に形成された突起部は、反射板自体の影に隠れ、目視し難いため、螺子と螺子孔の位置や、突起部と貫通孔との位置関係を把握し難い状態となる。よって、手探りで螺子と螺子孔の位置や、突起部と貫通孔との位置に合わせることとなり、反射板を器具本体に対して、正確な装着位置に位置決めしながら挿入することは困難であった。
【０００６】
本発明は、前記課題を解決するためになされたものであって、反射板を器具本体に対して、正確な装着位置に位置決めしながら挿入することを容易とする埋込型照明器具を提供することを目的とする。
【課題を解決するための手段】
【０００７】
本発明の解決しようとする課題は以上の如くであり、次にこの課題を解決するための手段を説明する。
【０００８】
即ち、第１の発明においては、開放部を有する器具本体と、前記開放部から内側に挿入され、前記器具本体に対する装着位置で固定される反射板と、を備えた埋込型照明器具であって、
前記器具本体は、内側に前記反射板を収容する収容部と、前記収容部の内側の面に、前記反射板の挿入方向に沿って前記開放部側から形成される案内溝部と、を備え、
前記反射板は、前記収容部と対峙する面に、前記案内溝部に差し込まれて案内される突起部を、備え、
前記装着位置の手前で前記反射板の前記突起部を前記器具本体の前記案内溝部に差し込むとともに、前記反射板を前記器具本体に対して挿入するに従い、前記案内溝部は、前記反射板を前記装着位置に案内することを特徴とする埋込型照明器具とする。
【０００９】
第２の発明においては、前記案内溝部は、前記開放部側での幅は、前記反射板の挿入方向に対して交差する方向への前記反射板の回動を許容する幅であり、前記反射板が装着位置にある状態における前記突起部の位置での幅は、前記反射板の挿入方向に対して交差する方向への前記反射板の回動を規制する幅であるとする。
【００１０】
第３の発明においては、前記反射板は、前記反射板の中心線が前記器具本体の中心線に対して傾斜するように、装着位置で固定される形状であって、前記器具本体の中心線と前記反射板の中心線とを含む平面と、前記反射板における前記収容部と対峙する面とが交差する位置に前記突起部を備え、
前記器具本体は、前記器具本体の中心線と前記反射板の中心線とを含む平面と、前記収容部とが交差する位置に、前記案内溝部を備えることとする。
【発明の効果】
【００１１】
本発明の効果として、以下に示すような効果を奏する。
【００１２】
第１の発明によれば、器具本体の案内溝部は器具本体の開放部側から反射板の挿入方向に沿って形成されており、反射板の突起部は収容部と対峙する面に形成されているため、作業者が反射板を斜め下方より目視しながら器具本体に対して挿入する場合であっても、案内溝部と突起部の位置を把握し易く、装着位置の手前で反射板の突起部を器具本体の案内溝部に容易に差し込むことができる。また、反射板の突起部を器具本体の案内溝部に差し込んだ状態で、反射板を器具本体に対して挿入することにより、案内溝部は、反射板を装着位置に案内するため、反射板を器具本体に対して、正確な装着位置に位置決めしながら容易に挿入することができる。
また、反射板は、反射板の突起部が器具本体の案内溝部に差し込まれた状態で器具本体に装着されるため、器具本体に対する反射板の回動を規制することができる。
【００１３】
第２の発明によれば、案内溝部は、開放部側ではその幅が、反射板の挿入方向に対して交差する方向への反射板の回動を許容する幅であり、幅広に形成されている。このため、装着位置の手前では、反射板の突起部を器具本体の案内溝部に容易に差し込むことができる。一方、反射板が装着位置にある状態における突起部の位置では、その幅は、反射板の挿入方向に対して交差する方向への反射板の回動を規制する幅であるため、器具本体に対する反射板の回動が規制されることとなる。すなわち、器具本体の案内溝部に、反射板の突起部を容易に差し込むことができ、これにより反射板を器具本体に対して正確な装着位置に案内するとともに、反射板の回動を規制することができる。
【００１４】
第３の発明によれば、反射板は、反射板の中心線が器具本体の中心線に対して傾斜するように、装着位置で固定される形状であり、器具本体の中心線と反射板の中心線とを含む平面と、反射板における収容部と対峙する面とが交差する位置は、反射板と収容部とが他の位置よりも接近している。このため、この位置に案内溝部と突起部とを形成することで、突起部の突出寸法を短くしても案内溝部に差し込むことができるため、突起部の形成が容易となる。また、反射板の中心線が傾斜する方向と突起部が形成されている位置とを関連付けることができるため、作業者が突起部の位置を把握し易く、器具本体の案内溝部に、反射板の突起部を容易に差し込むことができる。
【発明を実施するための最良の形態】
【００１５】
次に、発明の実施の形態について図を用いて説明する。
【００１６】
図１は本発明の第１実施形態に係る埋込型照明器具１の概略構成を示した分解斜視図であり、図２は器具本体５に反射板９を装着する手順を示す斜視図であり、図３は器具本体５に反射板９を装着した状態を示す斜視図であり、図４は反射板９の側面図であり、図５は反射板９の平面図であり、図６は反射板９の図５の６−６線における断面図であり、図７は反射板９の底面図であり、図８は器具本体５に反射板９を装着した状態を示す背面図であり、図９は図８の９−９線における断面図である。
【００１７】
本発明の第１実施形態に係る埋込型照明器具１は、空間の仕上げ板としての天井板２に形成された丸型の埋込孔３に埋め込まれて設置される埋込型照明器具であり、特に傾斜した天井板２に設置される傾斜天井用の埋込型照明器具１である。図１に示すように、埋込型照明器具１は、開放部２０を有する器具本体５と、開放部２０から内側に挿入され、器具本体５に対する装着位置で固定される反射板９と、を備えている。そして、図１に示すように、器具本体５と反射板９とが分解された状態から、図２に示すように、器具本体５に対して反射板９が図示上方に挿入されていき、図３に示すように、器具本体５に対して反射板９が装着され、組み立てられた状態とされるのである。尚、以下では、図３に示すように、器具本体５に対して反射板９が装着された状態における反射板９の位置を装着位置とし、図２に示すように、器具本体５に対して反射板９が装着位置に達する前の状態における反射板９の位置を、装着位置の手前とする。
【００１８】
まず器具本体５について説明すると、図１に示すように、器具本体５は、板金を折曲して構成されており、収容部１６を備えている。収容部１６は、挿入される反射板９を内側に収容する部分である。収容部１６は、器具本体５の上部を構成する天板部１５、天板部１５に延設されて器具本体５の側部を構成する第１挟持部材１８・１８、及び、第２挟持部材１９とで構成される。第１挟持部材１８・１８、及び第２挟持部材１９は、収容される反射板９を取り囲むように配置されており、第１挟持部材１８・１８は、相互に対向するように天板部１５に設けられ、第２挟持部材１９は、第１挟持部材１８・１８と直交する位置に設けられている。
【００１９】
収容部１６を構成する第２挟持部材１９の内側の面には、案内溝部１０が設けられている。案内溝部１０は、後記説明する反射板９の突起部１１が差し込まれる部分であり、図２に示すように、反射板９が装着位置の手前にある状態で、反射板９の突起部１１が差し込まれ、反射板９を器具本体５に対して挿入するに従い、反射板９を装着位置に案内するものである（図３参照。）。
【００２０】
図１、図２、図３に示すように、案内溝部１０は、第２挟持部材１９に形成されるスリットであり、開放部２０側から反射板９の挿入方向に沿って、すなわち、図示下方から上方に向けて形成されている。案内溝部１０の開放部２０側での幅は、図１、図８に示すように、反射板９の挿入方向に対して交差する方向、すなわち第２挟持部材１９から第１挟持部材１８に向かう方向への反射板９の回動を許容する幅として、後記説明する反射板９の突起部１１の幅より幅広に形成されている。また、図３、図８に示すように、反射板９が装着位置にある状態における突起部１１の位置での幅は、反射板９の回動を規制する幅とされており、反射板９の挿入方向に対して交差する方向への反射板９の回動を規制する幅、すなわち、案内溝部１０の幅は突起部１１の幅と略同一とされている。
【００２１】
図１に示すように、第１挟持部材１８・１８及び第２挟持部材１９の自由端部には係止片２１・２１・２１が形成されている。係止片２１・２１・２１は、器具本体５を埋込孔３に挿入した際に埋込孔３の外側の周縁部に当接するものであり、第１挟持部材１８・１８及び第２挟持部材１９に対して外向きに形成されている。第１挟持部材１８・１８には、取付手段４が設けられている。取付手段４は、器具本体５を埋込孔３に挿入した際に、埋込孔３の内側の周縁部に当接し、係止片２１・２１・２１との間で埋込孔３の周縁部を挟持して、器具本体５を埋込孔３に固定するものである（図８参照。）。取付手段４は、図１に示すように、第１挟持部材１８・１８に沿って形成されるＴ字型のスリット２２と、スリット２２に摺動可能に装着された取付具２３とで構成されている。
【００２２】
図１に示すように、天板部１５には、第２挟持部材１９に対向する位置に支持部材１２が設けられ、支持部材１２には、ランプ１４が装着されるソケット１３が器具本体５の内側に突出するように設けられている。従って、ソケット１３は、案内溝部１０と対向する位置に設けられることとなる。天板部１５には、反射板９を固定するための取付ボルト７が設けられている。取付ボルト７は、器具本体５の中心線ＣＬ１上に設けられており、器具本体５に反射板９が装着された際に、反射板９の開口部６の中心線ＣＬ２と一致するようにされている。また、天板部１５には端子台１７が設置されており、端子台１７とソケット１３とは電気的に接続されている。電源からの電流は端子台１７及びソケット１３を介してランプ１４を点灯させる。ランプ１４は、発光管をらせん状等に形成した電球形蛍光灯を用いる（図９参照。）。
【００２３】
続いて、反射板９について説明する。図１、図３に示すように、反射板９は、器具本体５に装着されて、ランプ１４の光を反射して空間へ照射させるものであり、合成樹脂素材を用いて一体的に形成されている。合成樹脂素材としては例えば、耐熱性を備えたＰＢＴ（ポリブチレンテレフタレート）等を用いることができる。図４、図５、図６に示すように、反射板９は、円形の開口部６の周縁から立ち上がる略椀形状の周壁２４と、開口部６の周縁から開口部６の半径方向外側に延設される円環状の鍔部２５と、周壁２４の上端から一体的に接続される上壁２６とを備えている。本実施形態における反射板９は、傾斜天井用であるため、周壁２４の中心線（反射板９の中心線）ＣＬ３が開口部６の中心線ＣＬ２に対して傾斜した形状とされている。従って、反射板９は、反射板９の中心線ＣＬ３が器具本体５の中心線ＣＬ１に対して傾斜するように、装着位置で固定される。中心線ＣＬ２と直交する方向での周壁２４の各断面形状は略円形である。
【００２４】
図１、図４、図５、図６に示すように、反射板９には、器具本体５の案内溝部１０に差し込まれて案内される突起部１１が設けられている。突起部１１は、反射板９が器具本体５に装着された状態で収容部１６と対峙する面、すなわち、第２挟持部材１９に対峙する反射板９の周壁２４に設けられている。また、突起部１１が設けられる位置は、器具本体５の中心線ＣＬ１と反射板９の中心線ＣＬ３とを含む平面と、反射板９における収容部１６と対峙する面とが交差する位置、すなわち、開口部６の中心線ＣＬ２と反射板９の中心線ＣＬ３とを含む平面と、周壁２４とが交差する位置である（図４、図５参照。）。
【００２５】
突起部１１は、反射板９の周壁２４に一体的に設けられたリブ形状の突起である。突起部１１を反射板９と一体的に設けることで、部品点数が少なく、安価に突起部１１を設けることができる。突起部１１の形状は、器具本体５に対する反射板９の挿入方向には長細く形成している。また、突起部１１の幅は、前述したように、案内溝部１０の開放部２０側の幅より狭くして、反射板９の回動が許容されるようにし、反射板９が装着位置にある状態では、突起部１１の上端部と案内溝部１０とが接する幅として、反射板９の回動が規制されるようにする。また、突起部１１の突出寸法は、図１に示すように、装着位置の手前で突起部１１を器具本体５の案内溝部１０に差し込むことができる寸法とする。尚、本実施形態においては、器具本体５と反射板９とが最も接近している位置、すなわち、第２挟持部材１９とこれに対峙する周壁２４に案内溝部１０と突起部１１とを形成しているため、突起部１１の突出寸法が短くても案内溝部１０に差し込むことができ、突起部１１の突出寸法を短くすることができる。
【００２６】
反射板９の周壁２４には、開口部６の中心線ＣＬ２に対して、突起部１１の反対側に、ソケット１３が挿通されるソケット孔２７が形成されている。従って、器具本体５に反射板９が装着された状態では、反射板９は、器具本体５に対しては突起部１１と案内溝部１０だけでなく、ソケット孔２７とソケット１３によっても回動方向に位置決めされることとなる。
【００２７】
反射板９の上壁２６には取付ボルト７が挿通される孔２９が形成されている。孔２９は、上壁２６の他の部分より上方に突出して形成された凸部３０の略中央に形成されており、孔２９の周縁３１は、孔２９向かって傾斜するすり鉢状の傾斜面に形成されている。このため、反射板９を装着した際に、器具本体５の取付ボルト７が傾斜面に当接し、孔２９に導かれることとなり、取付ボルト７と孔２９とを容易に位置合わせすることができる。鍔部２５には、円周上に等間隔にパッキン係止部３２・３２・３２・３２が形成されている。反射板９の内周面には、ランプ１４の光を反射して空間へ好適に導く反射面が形成されている。
【００２８】
反射板９は、器具本体５のソケット１３と反射板９の孔２７との隙間を塞ぐためのソケットパッキン３４と、鍔部２５と天井板２との隙間を塞ぐための枠パッキン３５とを備えている（図９参照。）。ソケットパッキン３４は、ソケット１３を挿入する孔２７の外周縁を覆うように、環状に形成されている。枠パッキン３５は、図５に示すように、略環状に形成され、内周縁には、反射板９の鍔部２５に形成されたパッキン係止部３２・３２・３２・３２と嵌合する凹部３６・３６・３６・３６が形成されている。また、枠パッキン３５の上面には、器具本体５の第１挟持部材１８・１８、第２挟持部材１９の先端に形成された係止片２１・２１・２１が嵌合する窪み３７・３７・３７が形成されている。第１挟持部材１８・１８及び第２挟持部材１９の先端の係止片２１・２１・２１は、枠パッキン３５の上面に形成された窪み３７・３７・３７に嵌合する。
【００２９】
尚、本実施形態に係る埋込型照明器具１は、電球形蛍光灯専用であるが、ソケット１３は白熱電球も装着可能な形状となっている。このため、ランプの誤装着を防止する必要があり、図６、図７に示すように、反射板９の内周面において、ソケット１３が挿入される孔２７付近には、ランプの誤装着を防止する突起３３・３３を設けている。例えば、電球形蛍光灯と白熱電球は口金の形状は同一であるが、ガラス部分の形状は、電球形蛍光灯ではやや細く、白熱電球ではやや太くなっている。このため、ソケット１３が挿入される孔２７付近に突起３３・３３を設けることで、白熱電球を誤装着しようとした場合には、白熱電球のガラス部が突起３３・３３に干渉し、白熱電球を装着することができない。よって、突起３３・３３により、ランプの誤装着を防止することができる。
【００３０】
次に、本実施形態に係る埋込型照明器具１を天井板２に設置する手順について説明する。まず、作業者は、図１に示すように、天井板２に形成された埋込孔３に器具本体５を挿入し（天井板２及び埋込孔３は図示省略）、第１挟持部材１８・１８、及び第２挟持部材１９の係止片２１・２１・２１を天井板２に当接させる。天井板２が傾斜している場合には、傾斜方向下側にソケット１３を位置させる。挿入された器具本体５の収容部１６の内側から手指を挿入し、取付手段４の取付具２３をスリット２２に沿って移動させ、係止片２１と取付具２３とで天井板２を挟持した状態で取付具２３を固定し、天井板２に対して器具本体５を固定する。
【００３１】
次に、枠パッキン３５及びソケットパッキン３４を装着した反射板９を開口部６が下向きになるように器具本体５に挿入する。図２に示すように、反射板９を器具本体５に僅かに挿入して、装着位置の手前で反射板９の突起部１１を器具本体５の案内溝部１０に差し込んだ状態とする。この時、器具本体５の案内溝部１０は器具本体５の開放部２０側から反射板９の挿入方向に沿って形成されており、また、反射板９の突起部１１は収容部１６と対峙する周壁２４に形成されているため、作業者が反射板９を斜め下方より目視しながら器具本体５に対して挿入する場合であっても、案内溝部１０と突起部１１の位置を把握し易い。また、案内溝部１０は、開放部２０側では幅広に形成されている。このため、装着位置の手前では、反射板９の突起部１１を器具本体５の案内溝部１０に容易に差し込むことができる。また、反射板９の中心線ＣＬ３が傾斜する方向と、突起部１１が形成されている位置とが一致しており、反射板９の中心線ＣＬ３が傾斜する方向と突起部１１の位置とを関連付けることができるため、作業者が突起部１１の位置を把握し易く、器具本体５の案内溝部１０に、反射板９の突起部１１を容易に差し込むことができる。
【００３２】
そして、反射板９の突起部１１を器具本体５の案内溝部１０に差し込んだ状態のまま、反射板９を器具本体５に対して挿入する。この時、図３に示すように、案内溝部１０は、反射板９が装着位置となるように案内するため、反射板９は器具本体５に対して、正確な装着位置に位置決めされながら挿入される。反射板９が装着位置にある状態では、突起部１１の上端部と案内溝部１０とが接するため、器具本体５に対する反射板９の回動を規制することができる。そして、器具本体５に対する反射板９の挿入が完了した状態において、反射板９の孔２９を挿通した取付ボルト７に取付ナット８を螺合させる。以上の手順によって反射板９は器具本体５に対して、正確な装着位置に装着され、器具本体５と反射板９の装着が完了する。
【００３３】
次に本発明の第２実施形態について説明する。図１０は、本発明の第２実施形態に係る埋込型照明器具１０１の概略構成を示した断面図である。第２実施形態に係る埋込型照明器具１０１は、基本的な構成は第１実施形態に係る埋込型照明器具１と共通し、異なる点を中心に説明する。第１実施形態と同一部分には、同一符号を付して詳しい説明は省略する。
【００３４】
第２実施形態に係る埋込型照明器具１０１は、器具本体１０５及び反射板１０９の形状が第１実施形態に係る埋込型照明器具１と異なっている。第２実施形態における反射板１０９は、水平天井用であり、反射板１０９の中心線が傾斜しない形状とされている。また、器具本体１０５は、反射板１０９の外周面全体を覆うように、椀形状に形成されており、器具本体１０５は、開口１４１の周縁から器具本体１０５が埋設される方向に立ち上がる収容部１１６と、収容部１１６の上端から一体的に接続される天板部１１５と、開口１４１の周縁から開口１４１の半径方向外側に延設される円環状の鍔部１４３とを備えている。収容部１１６には、ソケット１１３が挿通されるソケット孔１２７と、反射板１０９を案内する案内溝部１１０が形成されている。案内溝部１１０は、ソケット１１３が挿通されるソケット孔１２７と、直径方向に略対向する位置に設けられている。
【００３５】
上記のように構成される埋込型照明器具１０１では、埋込型照明器具１と同様に、案内溝部１１０は、反射板１０９を装着位置に案内するため、反射板１０９を器具本体１０５に対して、正確な装着位置に位置決めしながら容易に挿入することができる。よって、埋込型照明器具１０１を天井板等に埋設する際の施工性を向上させることができるとともに、器具本体１０５自体の気密性が高いことから、例えば、高気密住宅向けの製品においては、気密性をより向上することが出来る。
【００３６】
尚、本発明は上記各実施形態に限定されるものではなく、例えば、以下のように変更することができる。
【００３７】
上記各実施形態では、案内溝部の形状は、収容部を貫通するスリットとしたが、突起部が差し込まれて案内される形状であればよく、例えば、細長い窪み状（溝状）に形成してもよい。
【００３８】
上記各実施形態では、反射板の突起部をリブ形状としているが、器具本体の案内溝部に案内される形状であれば、リブ形状でなくてもよい。
【００３９】
上記各実施形態では、反射板の突起部は、ソケットが挿通される位置と、直径方向に略対向する位置に設けられているが、器具本体のソケットや取付手段の位置との関係により、他の位置に設けてもよい。
【００４０】
上記各実施形態では、突起部を反射板に一体的に形成した構成としているが、突起部を反射板と一体に形成せず、別体の突起部を反射板に装着してもよい。
【００４１】
上記各実施形態では、ランプは電球形蛍光灯としたが、発光管の形状はらせん状でなくても良く、また、反射板に挿入される形状のランプであればよい。
【００４２】
以上説明した本発明の技術的範囲は、上記の実施形態に限定されるものではなく、上記実施形態の形状に限定されない。本発明の技術的範囲は、本明細書及び図面に記載した事項から明らかになる本発明が真に意図する技術的思想の範囲全体に、広く及ぶものである。
【図面の簡単な説明】
【００４３】
【図１】本発明の第１実施形態に係る埋込型照明器具１の概略構成を示した分解斜視図。
【図２】器具本体５に反射板９を装着する手順を示す斜視図。
【図３】器具本体５に反射板９を装着した状態を示す斜視図。
【図４】反射板９の側面図。
【図５】反射板９の平面図。
【図６】反射板９の図５の６−６線における断面図。
【図７】反射板９の底面図。
【図８】器具本体５に反射板９を装着した状態を示す背面図。
【図９】図８の９−９線における断面図。
【図１０】本発明の第２実施形態に係る埋込型照明器具１０１の概略構成を示した断面図。
【符号の説明】
【００４４】
１    埋込型照明器具
５    器具本体
６    開口部
９    反射板
１０  案内溝部
１１  突起部
１５  天板部
１６  収容部
２０  開放部 
【図１】
2010123502.tif 000003
【図２】
2010123502.tif 000004
【図３】
2010123502.tif 000005
【図４】
2010123502.tif 000006
【図５】
2010123502.tif 000007
【図６】
2010123502.tif 000008
【図７】
2010123502.tif 000009
【図８】
2010123502.tif 000010
【図９】
2010123502.tif 000011
【図１０】
2010123502.tif 000012